(57)【要約】【課題】導光部材の出射面側に赤色の強調された部分が周期的に現れて導光部材の出射光に赤の縞模様が生じてしまい、色むらと輝度むらが生じるということはなく、色むらのない輝度の均一な出射光を得ることができる照明装置を提供する。【解決手段】  導光部材１０２と、この導光部材１０２の光入射面１０２ａに隣接して配置された光源１０１を備えた照明装置において、光源１０１は、二個の光半導体パッケージＡ−１、Ａ−２を横並びにして構成してあり、二個の光半導体パッケージＡ−１、Ａ−２の中央を通る仮想中央線ｘに対して、Ｒ（赤）色の光半導体素子１０は、横方向に中二つおいて上と下に配置し、Ｂ（青）色の光半導体素子１１は、横方向に中二つおいて下と上に配置し、Ｇ（緑）色の光半導体素子１２は、横方向に中二つおいて下と上に配置した千鳥配置である。【選択図】  図５
2006156130.tif 000002
【特許請求の範囲】
【請求項１】
それぞれがピーク波長特性の異なる光を放射する３つの発光素子を光放射方向から見て三角形状に配置し、その三角形状の頂点を上方にして収納したパッケイジを複数有する照明装置において、
前記複数のパッケイジをその光放射方向を揃えて配置すると共に隣接する少なくとも２つの前記パッケイジは、互いに上下が逆に配置されていることを特徴とする照明装置。
【請求項２】
前記ピーク波長特性の異なる光が、少なくとも赤色光、緑色光、青色光よりなることを特徴とする請求項１に記載の照明装置。
【請求項３】
前記パッケイジには、前記赤色光、緑色光、青色光に加えて白色光の発光素子が内蔵され、前記赤色光、緑色光、青色光で前記光出射方向から見て三角配置なしこの三角配置の外側に白色光を配置した事を特徴とする請求項２に記載の照明装置。
【請求項４】
前記パッケイジには、前記赤色光、緑色光、青色光に加えて前記３色光の中でもっとも弱い光を出射する発光素子が追加されて内蔵されており、前記赤色光、緑色光、青色光の３つで前記光出射方向から見て三角配置をなすとともにこの三角配置の外側に前記追加された発光素子が配置された事を特徴とする請求項２に記載の照明装置。
【請求項５】
ピーク光波長特性が異なる光を発光する３種類の光半導体素子を内蔵し前記３種類の光が出射する光出射領域を三角配置した光出射面を有する光半導体パッケイジの前記光出射面を、光りが主に側方から入射し主に上方あるいは下方に出射し導光する導光部材の入射面に対向させて配設した照明装置において、
複数の前記光半導体パッケイジを前記光出射面が一方向に向かうようにして隣り合わせに配設すると共に隣り合う前記光出射面の光出射領域が前記三角配置と前記三角配置を上下逆にした逆三角配置との配置関係をなすことを特徴とする照明装置。
【請求項６】
前記ピーク光波長特性の異なる光が、少なくとも赤色光、緑色光、青色光よりなることを特徴とする請求項５に記載の照明装置。
【請求項７】
前記光半導体パッケイジには、前記赤色光、緑色光、青色光に加えて白色光の光半導体素子が内蔵され、前記赤色光、緑色光、青色光の前記光出射領域で三角配置なしこの三角配置の外側に白色光を配置した前記光出射面を有する事を特徴とする請求項６に記載の照明装置。
【請求項８】
光半導体パッケイジには前記赤色光、緑色光、青色光に加えて前記３色光の中でもっとも弱い光を出射する光半導体素子が追加されて内蔵されており、前記赤色光、緑色光、青色光の光出射領域を三角配置するとともにこの三角配置の外側に前記追加された光半導体素子の光出射領域が設けられた事を特徴とする請求項６に記載の照明装置。
【請求項９】
ピーク光波長特性の光を発光する光半導体素子のピーク波長を異ならせた複数種類の光半導体素子を複数個内蔵しこれら光半導体素子の発光光を光出射領域を有する光出射面を少なくとも備える光半導体パッケージを用いた光源装置において、
前記光出射面を第１と第２の部分に区分し前記第１の部分と前記第２の部分とで前記発光光の出射する光出射領域の数を異ならせた前記光半導体パッケージを複数パッケイジ前記光出光面を１方向を向けて隣り合わせて配設し、且つ隣り合う前記半導体光パッケイジは第１の部分に対しては第２の部分が隣り合い上側区分領域を構成し第２の部分に対しては第１の部分が隣り合い下側区分領域を構成するように配設したことを特徴とする光源装置。
【請求項１０】
前記上側区分と前記下側区分との光出射領域の総数が、同じであることを特徴とする請求項９に記載の光源装置。
【請求項１１】
前記上側区分から出射される前記複数種類の光半導体素子の光は、前記下側区分から出射される前記複数種類の光半導体素子の複数種類の光と同じ光の種類でであり同じ数の光よりなることを特徴とする請求項１０に記載の光源装置。
【請求項１２】
前記請求項９または１０または１１に記載された光源装置の前記光出射面に対向して主に側方から入射する光を導光し上方あるいは下方に出射するする導光部材の入射面に配設したことを特徴とする照明装置。
【請求項１３】
前記請求項５または６または７または８または１２に記載された照明装置内の前記導光部材の光出射面の外側に表示パネルを配設したことを特徴とする表示装置。
【請求項１４】
ピーク光波長特性が異なる光を発光する複数種類の光半導体素子をそれぞれ内蔵する複数種類のパッケージを光入射面と光出射面とをする導光部材の光入射面側に配設した照明装置において、
前記導光部材の入射面に対向して配設される複数の前記パッケイジは前記導光部材の厚み方向に２段に重ねて配設されたことを特徴とする照明装置。
【請求項１５】
前記２段に重ねられた上段に配設される前記パッケイジの数と下段に配設される前記パッケイジの数が同じであることを特徴とする請求項１４に記載の照明装置。
【請求項１６】
前記上段に配設される前記パッケイジの種類は、前記下段から出射される前記パッケイジの種類と同じであることを特徴とする請求項１５に記載の照明装置。
【請求項１７】
前記請求項１４または１５または１６に記載された照明装置内の前記導光部材の光出射面の上方に表示パネルを配設したことを特徴とする表示装置。
【発明の詳細な説明】
【技術分野】
【０００１】
本発明は、光半導体素子を利用した光半導体パッケージと、この光半導体パッケージを用いた照明装置及び表示装置に関するものである。
【背景技術】
【０００２】
光半導体パッケージであるチップ部品型ＬＥＤアッセンブリなどは、電気的及び機械的に安定化させた素子の如く使用できるように光半導体素子をチップ型保護体で保護させている。したがって、用途上より外形が小型であることが要求される。この様なチップ部品型ＬＥＤアッセンブリなどは、個々に電力を供給し複数色などの発光を行わせるため光半導体素子としての各ＬＥＤチップをパッケージ内の別々の電極上もしくは同一パッケージ電極に固着させて構成させてある。
【０００３】
特許文献１に記載されたものは、複数の光半導体素子を同一電極上に共通接着剤により固着させることによって発光特性及び混色性に優れた発光装置とするものであり、Ｇ（緑）色、Ｒ（赤）色、Ｂ（青）色の３色の混色性の向上と発熱を最小にするために、Ｇ（緑）色、Ｒ（赤）色、Ｂ（青）色の３色の光半導体素子の配置を三角形の各頂点に位置させた三角配置にするようにしたことが開示してある。
【０００４】
また、従来における表示装置の光源に用いられる光半導体パッケージとして、パッケージ本体に収容されたＧ（緑）色、Ｒ（赤）色、Ｂ（青）色の３色の光半導体素子の配置は三角形の各頂点に位置させた三角配置とし、導光部材の光入射面に対して光出射面側を上段とした場合に、Ｒ（赤）色の光半導体素子を上段に位置させ、他のＧ（緑）色、Ｂ（青）色の光半導体素子を下段に位置させたものがある。
【０００５】
【特許文献１】特開平９−２９８３１４号公報
【発明の開示】
【発明が解決しようとする課題】
【０００６】
従来の光半導体パッケージでは、パッケージ本体にＧ（緑）色、Ｒ（赤）色、Ｂ（青）色の三色の光半導体素子を三角配置としているが、これは三色の混色性の向上と発熱を最小にするためなされた構成である。
しかし、この光半導体パッケージを、携帯電話や携帯コンピュータ端末機やナビゲータ用装置やパーソナルコンピュータなどに用いられる表示装置の光源に用いた場合には、光半導体パッケイジと導光部材（一般に、板状をなす）を組み合わせて照明装置を構成することが多い。
即ち、上下面と側面を有する板状をなす導光部材の側面側に光源である光半導体パッケージを配置しする。このように光源を配置することで、導光部材は、側面を光入射面とし、上面を光出射面とし、下面を光反射面とする構成、作用をなす。
この導光部材の側面に配置される三色の光半導体素子が三角配置された光半導体パッケイジ（図３を参照）は、頂点に赤色が配設され、底辺に青色と緑色が並んで配置されており、この頂点に配置された赤色の光半導体素子は導光部材の前記光出射面にもっとも近接しては位置されることになる。一方、底辺の青色と緑色が並んで配置された光半導体素子は、導光部材の前記光出射面に対して遠い側して配置される。
このような構成を実際に作り、光出射面において観測すると、光出射面の光入射面に近い側から遠いい側に向けて、この方向を横切る方向に赤色の線状の輝度が高い部分が周期
的に生じている。すなわち、ストライプ状であり周期的な輝度ムラあるいは色むらが生じ、表示装置の表示品質を落とす問題を生じていた。
本発明者が考えるには、光半導体パッケージが対向する導光部材の入射面から入射する光は、赤色光が出射面に最も近い位置で入射されるために、出射面側から導光板を観測すると、光入射面に近いところの光出射面上で赤色光の輝度が高い部分が生じ、この隣であり光入射面から遠ざかる方向の位置では前記光反射面で反射された青色光と緑色光が出射するが、この場所の輝度は前記の赤色光の輝度に比べて低くなっている。
このように、三角形配置の頂点に配置されたＲ（赤）色の光半導体素子により、導光部材の出射光に赤色と緑色と青色の縞模様が生じてしまい、表示が均一でないという問題が生じていた。
この縞模様は、光源に近いほど強くあるいは際だって観測される。
【０００７】
すなわち、従来における表示装置の光源に用いられる光半導体パッケージとして、パッケージ本体に収容されたＧ（緑）色、Ｒ（赤）色、Ｂ（青）色の３色の光半導体素子の配置は三角形の各頂点に位置させた三角配置ではあるが、導光部材の光入射面に対して光出射面側を上段とした場合に、Ｒ（赤）色の光半導体素子を上段に位置させ、他のＧ（緑）色、Ｂ（青）色の光半導体素子を下段に位置させてあるために、導光部材の出射面側に赤色の強調された部分が周期的に現れて導光部材の出射光に赤の縞模様が生じてしまい、色むらと輝度むらが生じていた。また、Ｇ（緑）色の光半導体素子の発光輝度が、Ｂ（青）色とＲ（赤）色の発光輝度に比べて弱いので、導光部材の光出射面には白としてのホワイトバランスが崩れ、この崩れを目立たなくするためにＲ色とＧ色の光半導体素子の発光輝度を低く調整して、全体を暗めに調整せざるを得ないという問題が生じていた。
【０００８】
本発明はかかる従来の問題を改善するためになされたもので、その第１の目的とするところは、均一な輝度と彩度を得ることができる光半導体パッケージを提供することである。
【０００９】
また、本発明の第２の目的とするところは、導光部材の出射面側に赤色の強調された部分が周期的に現れて導光部材の出射光に赤の縞模様が生じてしまい、色むらと輝度むらが生じるという問題を解決し、色むらのない輝度の均一な出射光を得ることができる照明装置を提供することである。
【００１０】
また、本発明の第３の目的とするところは、色むらのない輝度の均一な画像等を得ることができる表示装置を提供することである。
【課題を解決するための手段】
【００１１】
上記課題を解決するために本発明は、それぞれがピーク波長特性の異なる光を放射する３つの発光素子を光放射方向から見て三角形状に配置し、その三角形状の頂点を上方にして収納したパッケイジを複数有する照明装置において、前記複数のパッケイジをその光放射方向を揃えて配置すると共に隣接する少なくとも２つの前記パッケイジは、互いに上下が逆に配置されていることを特徴とする照明装置である。
【００１２】
さらに、前記ピーク波長特性の異なる光が、少なくとも赤色光、緑色光、青色光よりなることを特徴とする。
【００１３】
さらに、前記パッケイジには、前記赤色光、緑色光、青色光に加えて白色光の発光素子が内蔵され、前記赤色光、緑色光、青色光で前記光出射方向から見て三角配置なしこの三角配置の外側に白色光を配置した事を特徴とする。
【００１４】
さらに、前記パッケイジには、前記赤色光、緑色光、青色光に加えて前記３色光の中でもっとも弱い光を出射する発光素子が追加されて内蔵されており、前記赤色光、緑色光、青色光の３つで前記光出射方向から見て三角配置をなすとともにこの三角配置の外側に前記追加された発光素子が配置された事を特徴とする。
【００１５】
上記課題を解決するために本発明は、ピーク光波長特性のが異なる光を発光する３種類の光半導体素子を内蔵し前記３種類の光が出射する光出射領域を三角形の頂点に略位置する三角配置をなした光半導体パッケイジの前記光出射面が、光りを導光する導光部材の入射面に対向させて配設した照明装置において、複数の前記光半導体パッケイジを前記光出射面が一方向に向かうようにして隣り合わせに配設すると共に隣り合う前記光出射面の光出射領域が三角配置と逆三角配置との配置関係としたことを特徴とする照明装置である。
【００１６】
さらに、前記３種類のピーク光波長特性の異なる光が、赤色光、緑色光、青色光の３種類であることを特徴とする照明装置である。
【００１７】
さらに、光半導体パッケイジには前記赤色光、緑色光、青色光に加えて白色光の光半導体素子が内蔵され、光出射領域を三角形の頂点に略位置して前記赤色光、緑色光、青色光が三角配置るとともにこの三角配置の外側に白色光を配置した光出射面をなす事を特徴とする照明装置である。
【００１８】
さらに、光半導体パッケイジには前記赤色光、緑色光、青色光に加えて前記３色光の中でもっとも弱い光を出射する光半導体素子が追加され内蔵されており、前記赤色光、緑色光、青色光の光出射領域を三角配置するとともにこの三角配置の外側に前記追加された光半導体素子の光出射領域が設けられた事を特徴とする照明装置である。
【００１９】
上記課題を解決するために本発明は、ピーク光波長特性の光を発光する光半導体素子のピーク波長を異ならせた複数種類の光半導体素子を複数個内蔵しこれら光半導体素子の発光光を出射する領域を有する光出射面を少なくとも備える光半導体パッケージを用いた光源装置において、前記光出射面を第１と第２の部分に区分し前記第１の部分と前記第２の部分とで前記発光光の出射する光出射領域の数を異ならせた前記光半導体パッケージを複数パッケイジ前記光出光面を１方向を向けて隣り合わせて配設し、且つ隣り合う前記半導体光パッケイジは第１の部分に対しては第２の部分が隣り合い上側区分領域を構成し第２の部分に対しては第１の部分が隣り合い下側区分領域を構成するように配設したことを特徴とする光源装置である。
さらに、前記上側区分と前記下側区分との光出射領域の総数が、同じであることを特徴とする光源装置である。
さらに、前記上側区分から出射される前記複数種類の光半導体素子の光は、前記下側区分から出射される前記複数種類の光半導体素子の複数種類の光と同じ光の種類でであり同じ数の光よりなることを特徴とする光源装置である。
さらに、前記光源装置の前記光出射面に対向して光を導光する導光部材の入射面を配設したことを特徴とする照明装置である。
さらに、前記照明装置内の前記導光部材の光出射面の上方に表示パネルを配設したことを特徴とする表示装置である。
【００２０】
上記課題を解決するために本発明は、ピーク光波長特性が異なる光を発光する複数種類の光半導体素子をそれぞれ内蔵する複数種類のパッケージを光を導光する板状の導光部材の光入射面側に配設した照明装置において、前記導光部材の入射面に対向して配設される複数の前記パッケイジは前記導光部材の厚み方向に２段に重ねて配設されたことを特徴とする照明装置である。
さらに、前記２段に重ねられた上段に配設されるパッケイジの数と下段に配設される
パッケイジの数が同じであることを特徴とする照明装置である。
さらに、前記上段に配設されるパッケイジの種類は、前記下段から出射されるパッケイジの種類と同じであることを特徴とする照明装置である。
さらに、前記照明装置内の前記導光部材の光出射面の上方に表示パネルを配設したことを特徴とする表示装置である。
【発明の効果】
【００２１】
本発明に係るパッケイジあるいは光半導体パッケージによれば、ピーク波長特性の異なる光を放射する３つの発光素子あるいはピーク波長特性の異なる光を放射する光半導体素子あるいはＲ（赤）色とＧ（緑）色とＢ（青）色と白色の光半導体素子の位置にかかわらず、均一な輝度と彩度を得ることができる。
また、本発明に係る照明装置によれば、導光部材の出射面側に赤色の強調された部分が周期的に現れて導光部材の出射光に赤の縞模様が生じてしまい、色むらと輝度むらが生じるという問題を解決し、色むらのない輝度の均一な出射光を得ることができる。
また、本発明に係る表示装置によれば、導光部材の出射面側に輝度の高い色の強調された部分が周期的に現れて導光部材の出射光にＲ（赤）色の縞模様が生じるという問題を解決し、色むらと輝度むらがなくなり、色むらのない輝度の均一な出射光を得て、色むらのない輝度の均一な画像等を得ることができる。
本発明では、導光部材の出射面側に輝度の高い色の強調された部分が周期的に現れて導光部材の出射光に光エネルギーの高い色の縞模様あるいは輝度ムラあるいは色ムラが生じるということを防止し、色むらと輝度むらがなくなり、色むらのない輝度の均一な出射光を得ることができる。
本発明は、Ｒ（赤）色とＧ（緑）色とＢ（青）色と白色の光半導体素子の位置にかかわらず、均一な輝度と彩度を得ることができる。
本発明は、導光部材の出射面側に輝度の高い色の強調された部分が周期的に現れて導光部材の出射光にＲ（赤）色の縞模様が生じるということはなく、色むらと輝度むらがなくなり、色むらのない均一な出射光を得ることができる効果を有する。
本発明は、劣化の早い色の光半導体素子の数を増やすことで輝度を稼ぎ、その代わりに電流を下げることができて劣化を抑えることができる効果を有する。
本発明は、導光部材の出射面側に輝度の高いあるいは色が強調された部分が周期的に現れて導光部材の出射光にＲ（赤）色の縞模様が生じるということはなく、色むらと輝度むらがなくなり、色むらのない輝度の均一な出射光を得ることができる。色むらのない均一な出射光を得ることができる。しかも、異なる発光色の光半導体素子の一つをパッケージ本体に設けて構成される複数の光半導体パッケージを用いているために、半田付け端子が広くすることができて半田付けが容易になる効果を有する。
【００２２】
特に、ピーク光波長特性の光を発光する光半導体素子のピーク波長を異ならせた複数種類の光半導体素子あるいは発光素子よりなる光源（例えば、ＬＥＤ）を複数個用いたことによる、個々の前記光半導体素子パッケイジあるいはパッケイジの配置状態及びに異なる種類の光半導体素子あるいは発光素子をそのパッケイジを組み合わせることによる輝度のムラ、あるいは色ムラを本願発明は解決することができ、表示品質が向上し、製品歩留まりも向上する効果を有する。
さらに、市場で使用され始めた三角配置をパッケイジを、組み合わせることで、三角パッケイジを１個用いて問題となった輝度ムラ、色むらを解消でき表示品質が向上した製品が得られる効果を有する。３角配置されたパッケイジは、横並び配設されたパッケイジに比べ、光混色性が向上し白が得られやすいとの効果を有しており、さらに、本願発明の三角配パッケイジを、横並びに設け、三角配置、次に逆算角配置とする組み合わせとする、あるいはを三角配置、次に逆算角配置、さらに次ぎに三角配置、さらにさらに逆三角配置とする組み合わせとすることで、混色性が向上し、さらに白色が得られる効果が本発明で
はある。
さらに、上記内容のＲ色、Ｇ色、Ｂ色の光半導体素子に、白色の光半導体素子を追加することで、さらなる白色が得られる効果がある。このとき、Ｒ色、Ｇ色、Ｂ色の光半導体素子の三角配置を維持しているために、Ｒ色、Ｇ色、Ｂ色の光半導体素子の光混色性による本発明の白色効果は、維持されたままである。
【発明を実施するための最良の形態】
【００２３】
本発明の実施の形態を、図面を参照して詳述する。
【実施例１】
【００２４】
本発明の光半導体パッケージの第１の実施の形態と、この光半導体パッケージを用いた照明装置Ｆ及びこの照明装置Ｆを用いた表示装置Ｇを、図１乃至図９に基づいて説明する。
本発明の光半導体パッケージＡは、ポリカーボネート樹脂等の樹脂製のパッケージ本体１を備えており、このパッケージ本体１には、その表側に、各ＬＥＤチップである光半導体素子１０、１１、１２を収容する収容凹部２が形成してあり、また、パッケージ本体１には、光半導体素子１０、１１、１２の一方の電極（図示せず）と電気的に接続できるパッケージ電極３と、光半導体素子１０、１１、１２の他方の電極（図示せず）と接続できる各電極４ａ、４ｂ、４ｃとを有している。これらのパッケージ電極３及び各電極４ａ、４ｂ、４ｃはパッケージ本体１にインサート成形などにより一体にしてある。
【００２５】
パッケージ電極３は、パッケージ本体１外部からの電力を内部に配置された光半導体素子１０、１１、１２に供給させるために用いられる。また、パッケージ電極３上に光半導体素子１０、１１、１２が配置されることから、光半導体素子１０、１１、１２が放出した光を有効利用させるため反射率が高いことが好ましい。
このパッケージ電極３上には、光半導体素子１０、１１、１２が、各々同一極性側の一方の電極をパッケージ電極３に対してそれぞれ接着剤として銀ペーストなどを利用して固着してある。また、各光半導体素子１０、１１、１２の逆極性側の他方の電極は、パッケージ本体１に設けられた他の各電極４ａ、４ｂ、４ｃと金属ワイヤー７などの電気的接続部材を利用して電気的導通が取られている。
【００２６】
光半導体素子１０、１１、１２は種々の所望の発光色とすることができるが、フルカラー表示させるためには、Ｒ（赤）色、Ｂ（青）色、Ｇ（緑）色の発光色が用いてある。すなわち、光半導体素子１０がＲ（赤）色の発光素子であり、光半導体素子１１がＢ（青）色の発光素子であり、光半導体素子１２がＧ（緑）色の発光素子である。なお、フルカラー発光色とするためにはＲ（赤）色の発光波長が６００ｎｍから７００ｎｍ、、Ｂ（青）色の発光波長が４３０ｎｍから４９０ｎｍ、Ｇ（緑）色の発光波長が４９５ｎｍから５６５ｎｍであることが好ましい。
【００２７】
また、パッケージ本体１の各光半導体素子１０、１１、１２を内包した収容凹部２には、透光性のシリコーンまたはエポキシ等の樹脂５でモ−ルドし外部環境から各光半導体素子１０、１１、１２を保護している。
また、パッケージ電極３及び各電極４ａ、４ｂ、４ｃは、パッケージ本体１の外側にて基板６上に設けられた配線パターンなどの外部電極６Ａに半田付などで導通を取り且つ係止される。
そして、光半導体パッケージＡ−１にあっては、光半導体素子１０、１１、１２は、図１及び図３に示すように、三角形の各頂点ａｂｃに位置するように配置してあり、パッケージ本体１の一方の側壁面１ａ側であって三角形の頂点ａに輝度の高い（光エネルギーの大きい）Ｒ（赤）色の光半導体素子１０が配置してあり、一方の側壁面１ａに対向する他
方の側壁面１ｂ側であって三角形の頂点ｂにＢ（青）色の光半導体素子１１が配置してあり、他方の側壁面１ｂ側であって三角形の頂点ｃに輝度の低い（光エネルギーの小さい）Ｇ（緑）色の光半導体素子１２が配置してある。
また、光半導体パッケージＡ−２にあっては、図４に示すように、パッケージ本体１の一方の側壁面１ａ側に、Ｂ（青）色の光半導体素子１１とＧ（緑）色の光半導体素子１２とを並べて配置し、一方の側壁面１ａに対向する他方の側壁面１ｂ側に、Ｒ（赤）色の光半導体素子１０を配置して構成することができる。
【００２８】
次に、上記のように構成された図３に示す光半導体パッケージＡ−１と図４に示す光半導体パッケージＡ−２を用いた本発明に係る照明装置を、図５乃至図７を参照して説明する。
この照明装置Ｆは、光源１０１と板状の導光部材１０２とで構成してある。そして、この光源１０１は、図３及び図４にそれぞれ示す光半導体パッケージＡ−１、Ａ−２を、横並びに保持部材（図示せず）に固定して構成してあり、また、導光部材１０２は、図５に示すように、その端面部が光入射面１０２ａであり、図５において上面が光出射面１０２ｂであり、図５において下面が光反射面１０２ｃである。
光源１０１において、一方の光半導体パッケージＡ−１は、そのＲ（赤）色の光半導体素子１０を、導光部材１０２の光出射面１０２ｂに対し近くの側（図５において上段）にし、Ｂ（青）色の光半導体素子１１とＧ（緑）色の光半導体素子１２とを、導光部材１０２の光出射面１０２ｂに対し遠くの側（図５において下段）にしてある。
【００２９】
また、他方の光半導体パッケージＡ−２は、そのＲ（赤）色の光半導体素子１０を、導光部材１０２の光出射面１０２ｂに対し遠くの側（図５において下段）にし、Ｂ（青）色の光半導体素子１１とＧ（緑）色の光半導体素子１２とを、導光部材１０２の光出射面１０２ｂに対し近くの側（図５において上段）にしてある。
二個の光半導体パッケージＡ−１、Ａ−２における各光半導体素子１０、１１、１２の配置は千鳥配置にしてある。すなわち、図６に示すように、二個の光半導体パッケージＡ−１、Ａ−２の中央を通る仮想中央線ｘに対して、Ｒ（赤）色の光半導体素子１０は、横方向に中二つおいて上と下に配置してあり、Ｂ（青）色の光半導体素子１１は、横方向に中二つおいて下と上に配置してあり、同様にＧ（緑）色の光半導体素子１２は、横方向に中二つおいて下と上に配置してある。
【００３０】
このように、ピーク光波長特性のが異なる光であるＲ色、Ｇ色、Ｂ色を発光する３種類の光半導体素子あるいは発光素子を内蔵し前記３種類の光であるＲ色、Ｇ色、Ｂ色の光が出射する光出射領域（図５，図６の１０，１１，１２の位置に相当する）を図５あるいは図６の如く三角形の頂点に略位置する三角配置をなしたパッケイジあるいは光半導体パッケイジなしており、このパッケイジの前記光出射面（図６に図示された面）が、光りを導光する導光部材１０２の入射面１０２ａに対向させて配設した照明装置Ｆにおいて、複数の前記光半導体パッケイジ（パッケイジ）Ａ−１，Ａ−２を前記光出射面が一方向に向かうようにして隣り合わせに配設すると共に隣り合う前記光出射面の光出射領域が三角配置（Ａ−１の状態）と逆三角配置（Ａ−２の状態）との配置関係としたことを特徴とする照明装置である。
また、それぞれがピーク波長特性の異なる光を放射する３つの発光素子、例えばＲ色、Ｇ色、Ｂ色を発光する３種類の発光素子、を光放射方向から見て三角形状に配置し（図３に参照）、その三角形状の頂点を上方にして収納したパッケイジ（図３に参照）を複数有する照明装置であって、前記複数のパッケイジ（Ａ−１，Ａ−２）をその光放射方向を揃えて配置すると共に隣接する少なくとも２つの前記パッケイジ（Ａ−１，Ａ−２）は、互いに上下が逆に配置されている（図５または図６参照）ことを特徴とする照明装置である。
また、図５，図６において、ピーク光波長特性の光を発光する光半導体素子のピーク波長を異ならせた複数種類の光半導体素子１０，１１，１２を複数個内蔵（例えば、図１または図５または図６の状態）しこれら光半導体素子の発光光を出射する領域（図５の１０，１１，１２の位置に相当する）を有する光出射面を少なくとも備える光半導体パッケージＡ−１，Ａ−２を用いた光源装置において、前記光出射面を第１と第２の部分（図６における一点鎖線の上側部分と下側部分に相当する）に区分し前記第１の部分（図６の上側部分）と前記第２の部分（図６の下側部分）とで前記発光光の出射する光出射領域の数を異ならせた前記光半導体パッケージ（例えば、図６のＡ−１またはＡ−２）を複数パッケイジ（図５，図６では２パッケイジ）前記光出光面を１方向を向けて隣り合わせて配設し（図５参照）、且つ隣り合う前記半導体光パッケイジはＡ−１の第１の部分（図６のＡ−１の上側でありＲ色光出射領域を有する）に対してはＡ−２の第２の部分（図６のＡ−２の上側であり、Ｇ、Ｂ色光出射領域を有する）が隣り合い上側区分領域（図６で横方向にＲ、Ｇ、Ｂ色光出射領域が並んで位置する）を構成しＡ−１の第２の部分に対してはＡ−２の第１の部分が隣り合い下側区分領域（図６で横方向にＢ、Ｇ、Ｒ色光出射領域が並んで位置する）を構成するように配設したことを特徴とする光源装置である。
図６の図を正面から見て、パッケイジＡ−１のＸ線より下側の光半導体素子は、左からＢ色、Ｇ色と並んでいる。一方、パッケイジＡ−２のＸ線より上側の光半導体素子は、左からＢ色、Ｇ色と並んでいる。このようなＢ、Ｇ色の配置関係を、次のようにしても良い。
すなわち、図６の図を参考図としてみて且つ正面から見て、パッケイジＡ−１のＸ線より下側の光半導体素子は、左からＢ色、Ｇ色と並べ、一方、パッケイジＡ−２のＸ線より上側の光半導体素子は、左からＧ色、Ｂ色と並べる。この並べ方では、Ａ−１のパッケイジを上下ひっくり返すことでこの配置を得ることができるために、同じパッケイジ、あるいは同じ部品を用いることができ、部材管理が簡素化できる効果がある。
前記上側区分と前記下側区分との光出射領域の総数が３個と３個で、同じであることを特徴とする請求項５に記載の光源装置である。
前記上側区分から出射される前記複数種類の光半導体素子の光は、前記下側区分から出射される前記複数種類の光半導体素子の複数種類の光と同じ光の種類（図６では、上側区分ではＲＢＧ、下側区分ではＢＧＲで同じ光の色の種類を有する）であり同じ数（図６では３個と３個）の光よりなることを特徴とする請求項６に記載の光源装置。
図５に示す如く、このような光源装置の前記光出射面に対向して光を導光する導光部材１０２の入射面１０２ａを配設したことを特徴とする照明装置である。
図８に示す如く、前記照明装置の前記導光部材１０２の光出射面１０２ｂの上方に表示パネルの実施例である液晶パネル２０１を配設したことを特徴とする表示装置である。
【００３１】
そして、図７に示すように、二個の光半導体パッケージＡ−１、Ａ−２におけるＲ（赤）色、Ｂ（青）色、Ｇ（緑）色の３色の光半導体素子１０、１１、１２をすべて点灯すると、それぞれの光半導体パッケージＡ−１、Ａ−２からは、上段（光出射面に近い側）のＲ，Ｇ，Ｂ色の光からなる白色光イ、下段（光出射面に遠いい側）のＲ，Ｇ，Ｂ色の光からなる白色光ロが出射される。これらの出射光である白色光イ、白色光ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して照明光ハになる。
【００３２】
本発明に係る照明装置Ｆにおいては、二個の光半導体パッケージＡ−１、Ａ−２の中央を通る仮想中央線ｘに対して、Ｒ（赤）色の光半導体素子１０は、横方向に中二つおいて上と下に配置してあり、Ｂ（青）色の光半導体素子１１は、横方向に中二つおいて下と上に配置してあり、同様にＧ（緑）色の光半導体素子１２は、横方向に中二つおいて下と上に配置してあるために、導光部材１０２の光出射面１０２ｂ側に赤色の強調された部分が周期的に現れて導光部材１０２の出射光に赤の縞模様が生じるということはなく、色むら
と輝度むらがなくなり、輝度の均一な照明光ハを得ることができる。
【００３３】
次に、上記のように構成された照明装置Ｆを用いた表示装置Ｇを、図８及び図９を参照して説明する。
この表示装置Ｇは液晶表示装置であって、表示側あるいは看視者Ｐ側から順に配置した液晶パネル２０１と照明装置Ｆによって構成してある。液晶パネル２０１は、図９に示すように、２枚の透明基板２０３、２０４で液晶層２０５を挟持すると共に枠状のシール材で封止した構成をなす液晶セルと、その表示側あるいは看視者Ｐ側に配置した偏光板２０７と、その反対側に配置した偏光板２０８とから構成してある。透明基板２０３、２０４の互いに対向する内面上には透明電極（図示せず）が形成してあって、これらの透明電極間に印加された電圧に応じて液晶層２０５が配向状態を替えるよう構成してある。
【００３４】
そして、二個の光半導体パッケージＡ−１、Ａ−２におけるＲ（赤）色、Ｂ（青）色、Ｇ（緑）色の３色の光半導体素子１０、１１、１２をすべて点灯すると、それぞれの光半導体パッケージＡ−１，Ａ−２からは、光半導体パッケージ上段（光出射面に近い側）のＲ，Ｇ，Ｂ色の光からなる白色光イ、光半導体パッケージ下段（光出射面に遠いい側）のＲ，Ｇ，Ｂ色の光からなる白色光ロが出射される。これらの出射光である白色光イ、ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して液晶パネル２０１の照明光ハになり、この照明光ハは偏光板２０８、液晶層２０５及び偏光板２０７を透過して映像等として表示側あるいは看視者Ｐ側で視認される。
本発明に係る表示装置Ｇにおいては、光部材１０２の光出射面１０２ｂ側に赤色の強調された部分が周期的に現れて導光部材１０２の出射光に赤の縞模様が生じるということはなく、色むらと輝度むらがなくなる。
【実施例２】
【００３５】
次に、本発明の光半導体パッケージの第２の実施の形態と、この光半導体パッケージを用いた照明装置及びこの照明装置を用いた表示装置を、図１０乃至図１６に基づいて説明する。
光半導体パッケージの第２の実施の形態としては、輝度が低いまたは色度のバランスが弱い色、の光半導体素子の数を増やして輝度ムラや色むらが無く、且つ明るくしたものである。すなわち、Ｒ（赤）色、Ｂ（青）色、Ｇ（緑）色の３色の光半導体素子１０、１１、１２を点灯して白色を得る場合であって、Ｇ（緑）色の光半導体素子１２が他に比べて輝度が弱い場合、図１０及び図１１に示すように、１つの光半導体パッケージは、Ｒ（赤）色、Ｂ（青）色、Ｇ（緑）色の３色の光半導体素子１０、１１、１２の配置に、Ｇ（緑）色の光半導体素子１２を加えている。
当実施例では、緑色の発光光が弱い場合を実施例として、緑色の光半導体素子の数を増やして輝度ムラや色むらが無く、且つ明るくしたものである。
一方、ＬＥＤの技術は絶えず進歩している現状においては、現時点で他の色に対して緑色の発光輝度が弱いのであるが、この問題は将来改善されることが予測される。過去の技術を見てくると、１つの色（緑色）の輝度が改善されると、その輝度改善は、赤色と青色を上回った改善結果が得られている。このような、ＬＥＤの開発状況からして、本願発明では、緑色の光の輝度が低いとの実施例を説明したが、将来は他の色、例えば赤色光あるいは青色光の発光輝度が緑色の発光光よりを低い場合が生じることも予測され、その時には、その色間における相対的に弱い発光光の色の光半導体素子の数を増やすことが、当実施例の基づく技術的特徴でもある。
すなわち、より白い色に近づけるために、混色比率を最適にするが、このときに弱い発光光の光を発光する発光半導体素子の数を他の色の光を発光する発光半導体素子より多くしたことを特徴とする。
【００３６】
一方の光半導体パッケージＡ−３は、図１０に示すように、四角形の一方の対角にＧ（緑）色の光半導体素子１２を配置し、他方の対角にＲ（赤）色の光半導体素子１０とＢ（青）色の光半導体素子１１とを配置して構成してある。
他方の光半導体パッケージＡ−４は、図１１に示すように、四角形の一方の対角にＧ（緑）色の光半導体素子１２を配置し、他方の対角にＲ（赤）色の光半導体素子１０とＢ（青）色の光半導体素子１１とを一方の光半導体パッケージＡ−３の場合と逆に配置して構成してある。
【００３７】
次に、上記のように構成された一方及び他方の光半導体パッケージＡ−３、Ａ−４を用いた本発明に係る照明装置Ｆ−１を、図１２乃至図１４を参照して説明する。
この照明装置Ｆ−１の光源１０１は、一方及び他方の光半導体パッケージＡ−３、Ａ−４を横並びに保持部材（図示せず）に固定することで構成してあって、導光部材１０１の光入射面１０２ａに対向させて配置してある。
この照明装置Ｆ−１の光源１０１において、一方の光半導体パッケージＡ−３は、そのＲ（赤）色の光半導体素子１０と一方のＧ（緑）色の光半導体素子１２とが、導光部材１０２の光出射面１０２ｂに対し近くの側（図１２において上段）に位置しており、Ｂ（青）色の光半導体素子１１と他のＧ（緑）色の光半導体素子１２とが、導光部材１０２の光出射面１０２ｂに対し遠くの側（図１２において下段）に位置している。
【００３８】
図１２，図１３では、ピーク光波長特性のが異なる光を発光する３種類の光半導体素子１０，１１，１２を内蔵し前記３種類の光が出射する光出射領域（図１０及び図１１で示される面）を三角形の頂点に略位置する三角配置（図１０，１１では直角三角形の角頂点に配設された光半導体素子（光出射領域）１０，１１，１２）をなした光半導体パッケイジＡ−１，Ａ−２の前記光出射面が、光りを導光する導光部材１０２の入射面１０２ａに対向させて配設した照明装置Ｆ−１において、複数の前記光半導体パッケイジＡ−１，Ａ−２を前記光出射面が一方向に（導光部材の入射面１０２ａに）向かうようにして隣り合わせに配設すると共に隣り合う前記光出射面の光出射領域が三角配置（図１０に於ける下方の光半導体素子（光出射領域）１１，１２と上方の光半導体素子（光出射領域）１０）と逆三角配置（図１１における上方の光半導体素子（光出射領域）１１，１２と下方の光半導体素子（光出射領域）１０）との配置関係をなす。
さらに、前記３種類のピーク光波長特性の異なる光が、赤色光、緑色光、青色光の３種類である。
さらに、光半導体パッケイジＡ−１，Ａ−２には前記赤色光、緑色光、青色光に加えて前記３色光の中でもっとも弱い光を出射する光半導体素子（図１０では上側の緑色光半導体素子（光出射領域）１２）が追加され内蔵されており、前記赤色光、緑色光、青色光の光出射領域を三角配置するとともにこの三角配置の外側に前記追加された光半導体素子の光出射領域が設けられ、図１０では四角形の角に配置された四角配置を為すことを特徴とする照明装置である。
さらに、図１５に示す如く、前記照明装置の前記導光部材１０２の光出射面１０２ｂの上方に表示パネルの実施例である液晶パネル３０１を配設したことを特徴とする表示装置である。
【００３９】
また、他方の光半導体パッケージＡ−４は、その一方のＧ（緑）色の光半導体素子１２とＢ（青）色の光半導体素子１１とが、導光部材１０２の光出射面１０２ｂに対し近くの側（図１２において上段）に位置しており、Ｒ（赤）色の光半導体素子１０と他のＧ（緑）色の光半導体素子１２とが、導光部材１０２の光出射面１０２ｂに対し遠くの側（図１２において下段）に位置している。
したがって、一方及び他方の光半導体パッケージＡ−３、Ａ−４における各光半導体素子１０、１１、１２の配置は千鳥配置にしてある。すなわち、図１３に示すように、一方
及び他方の光半導体パッケージＡ−３、Ａ−４の中央を通る仮想中央線ｘに対して、Ｇ（緑）色の光半導体素子１２は上、下、上、下に配置してあり、Ｒ（赤）色の光半導体素子１０は、上と下に配置してあり、Ｂ（青）色の光半導体素子１１は、横方向に中二つおいて下と上に配置してある。
そして、図１４に示すように、一方及び他方の光半導体パッケージＡ−３、Ａ−４におけるＲ（赤）色、Ｂ（青）色、Ｇ（緑）色の３色の光半導体素子１０、１１、１２をすべて点灯すると、一方及び他方の光半導体パッケージＡ−３、Ａ−４からはＲ，Ｇ，Ｂ色の光からなる白色光イ、ロが出射される。これらの出射光であるＲ，Ｇ，Ｂ色の光からなる白色光イ、ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して照明光ハになる。
【００４０】
本発明に係る照明装置Ｆ−１の場合においては、一方及び他方の光半導体パッケージＡ−３、Ａ−４の中央を通る仮想中央線ｘに対して、Ｇ（緑）色の光半導体素子１２は上、下、上、下に配置してあり、Ｒ（赤）色の光半導体素子１０は、上と下に配置してあり、Ｂ（青）色の光半導体素子１１は、横方向に中二つおいて下と上に配置してあるために、導光部材１０２の光出射面１０２ｂ側に赤色の強調された部分が周期的に現れて導光部材１０２の出射光に赤の縞模様が生じるということはなく、色むらと輝度むらがなくなり、輝度の均一な照明光ハを得ることができる。
また、Ｇ（緑）色緑の光半導体素子１２の輝度が、Ｂ（青）色とＲ（赤）色とのそれぞれの光半導体素子１０、１１の輝度に比べて弱い、輝度が低い色のＧ（緑）色の光半導体素子１２の数を増やしてやることで、ホワイトバランスの崩れがなく、輝度が高くなる。
ところで、当明細書の実施例では、主に緑の色の光半導体素子の輝度が他の色の光半導体素子に比べ低いとして説明した。一方、発明の主旨は、例えば３色（４色、５色、６色７色などでも良い）の光半導体素子を用いた光の白バランスを取るためには、それぞれの色の光半導体素子の発光光が相対的にバランスかくずれている場合には、その相対的なあるいは互いの、輝度あるいは光の色度を、白が得られるようにバランスを採ってやる事であり、そのために光半導体素子の数を調整したとするものである。
【００４１】
次に、上記のように構成された照明装置Ｆ−１を用いた表示装置Ｇ−１を、図１５及び図１６を参照して説明する。
この表示装置Ｇ−１は液晶表示装置であって、表示側あるいは看視者Ｐ側から順に配置した液晶パネル３０１と照明装置Ｆ−１によって構成してある。液晶パネル３０１は、上記した表示装置Ｇ（図９を参照）における液晶パネル２０１と同構成であるために、同一符号を付して説明を省略する。
そして、一方及び他方の光半導体パッケージＡ−３、Ａ−４におけるＲ（赤）色、Ｂ（青）色、Ｇ（緑）色の３色の光半導体素子１０、１１、１２をすべて点灯すると、一方及び他方の光半導体パッケージＡ−３、Ａ−４からは白色光イ、ロが出射される。これらの出射光である白色光イ、ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して液晶パネル３０１の照明光ハになり、この照明光ハは偏光板２０８、液晶層２０５及び偏光板２０７を透過して映像等として看視者Ｐに視認される。
【００４２】
本発明に係る表示装置Ｇ−１においては、導光部材１０２の光出射面１０２ｂ側に赤色の強調された部分が周期的に現れて導光部材１０２の出射光に赤の縞模様が生じるということはなく、色むらと輝度むらがなくなり、映像等に色むらと輝度むらがなくなり、また、Ｇ（緑）色緑の光半導体素子１２の輝度が、Ｒ（赤）色とＢ（青）色とのそれぞれの光半導体素子１０、１１の発光輝度に比べて弱いにもかかわらず、導光部材１０２の光出射面１０２ｂには白としてのホワイトバランスの崩れがなくなることから、映像等に色むら
と輝度むらがなくなる。
【００４３】
上記した照明装置Ｆ−１及び表示装置Ｇ−１では、輝度が低いまたは色度が弱い色のＧ（緑）色の光半導体素子１２の数を増やすことで、輝度ムラや色むらを防ぐようにしたが、劣化が早い色の光半導体素子を他の色の光半導体素子の数より増やすようにしてもよい。したがって、劣化の早い色の光半導体素子の数を増やすことで輝度を稼ぎ、その代わりに電流を下げることができて劣化を抑えることができ、光半導体パッケージの寿命を実質的に延ばすことになる効果が得られる。
すなわち、照明装置及び表示装置は、光入射面１０２ａに対して光出射面１０２ｂ側を上段とした場合に、光源１０１は、上段と下段に光出射し且つ上段に光出射する個数と下段に光出射する個数が異なるところの三個の光半導体素子１０、１１、１２をパッケ−ジ本体１に収納した光半導パッケ−ジを複数個有していて、光半導体素子１０、１１、１２のうちで劣化が早い色の光半導体素子を他の色の光半導体素子の数より増やした光半導パッケ−ジを用いる。
【実施例３】
【００４４】
次に、本発明の光半導体パッケージの第３の実施の形態と、この光半導体パッケージを用いた照明装置Ｆ−２及びこの照明装置Ｆ−２を用いた表示装置Ｇ−２を、図１７乃至図２３に基づいて説明する。
光半導体パッケージの第３の実施の形態としては、光半導体素子構成を、Ｒ（赤）色の光半導体素子１０とＢ（青）色の光半導体素子１１とＧ（緑）色の光半導体素子１２とに白（Ｗ）色の光半導体素子１３を加えた構成にして、輝度の均一化、色むらの解消、視感度による色むら解消を可能にしたものである。
すなわち、一方の光半導体パッケージＡ−５は、図１７に示すように、四角形の一方の対角にＧ（緑）色の光半導体素子１２と白（Ｗ）色の光半導体素子１３とを配置し、他方の対角にＲ（赤）色の光半導体素子１０とＢ（青）色の光半導体素子１１とを配置して構成してある。
また、他方の光半導体パッケージＡ−６は、図１８に示すように、四角形の一方の対角に白（Ｗ）色の光半導体素子１３とＧ（緑）色の光半導体素子１２とを配置し、他方の対角にＢ（青）色の光半導体素子１１とＲ（赤）色の光半導体素子１０とを配置して構成してある。
【００４５】
図１７から図２２では、ピーク光波長特性のが異なる光を発光する３種類の光半導体素子１０，１１，１２を内蔵し前記３種類の光が出射する光出射領域（図１７及び図１８で示される面）を三角形の頂点に略位置する三角配置（図１７，１８では直角三角形の角頂点に配設された光半導体素子（光出射領域）１０，１１，１２）をなした光半導体パッケイジＡ−５，Ａ−６の前記光出射面が、光りを導光する導光部材１０２の入射面１０２ａに対向させて配設した照明装置Ｆ−２において、複数の前記光半導体パッケイジＡ−５，Ａ−６を前記光出射面が一方向に（導光部材の入射面１０２ａに）向かうようにして隣り合わせに配設すると共に隣り合う前記光出射面の光出射領域が三角配置（図１７に於ける下方の光半導体素子（光出射領域）１１と上方の光半導体素子（光出射領域）１０、１２）と逆三角配置（図１１における上方の光半導体素子（光出射領域）１１と下方の光半導体素子（光出射領域）１０、１２）との配置関係をなす。
さらに、前記３種類のピーク光波長特性の異なる光が、赤色光、緑色光、青色光の３種類である。
さらに、光半導体パッケイジには前記赤色光、緑色光、青色光に加えて白色光の光半導体素子１３が内蔵され、光出射領域を三角形の頂点に略位置して前記赤色光、緑色光、青色光が三角配置るとともにこの三角配置の外側に白色光Ｗを配置した光出射面（図１７，１８参照）をなす事を特徴とする照明装置Ｆ−２である。
このようにＲ，Ｇ，Ｂいろの出射領域が三角配置され、この３角形の外側に前記追加さ
れた光半導体素子１３の光出射領域（図１７，１８で符号１３に対応する部分あるいは領域）が設けられ、図１７、１８では四角形の角に配置された四角配置を為すことを特徴とする照明装置Ｆ−２である。
さらに、図２２に示す如く、前記照明装置の前記導光部材１０２の光出射面１０２ｂの上方に表示パネルの実施例である液晶パネル４０１を配設したことを特徴とする表示装置である。
【００４６】
次に、上記のように構成された二個の光半導体パッケージＡ−５、Ａ−６を用いた本発明に係る照明装置Ｆ−２を、図１９乃至図２１を参照して説明する。
この照明装置Ｆ−２の光源１０１は、一方及び他方の光半導体パッケージＡ−５、Ａ−６を横並びに保持部材（例えば、リジットな回路基板であったりフレキシブル回路基板であったりするが、図示はしていない）に固定することで構成してあって、導光部材１０２の光入射面１０２ａに対向させて配置してある。
この照明装置Ｆ−２の光源１０１において、一方の光半導体パッケージＡ−５は、そのＧ（緑）色の光半導体素子１２とＲ（赤）色の光半導体素子１０とが、導光部材１０２の光出射面１０２ｂに対し近くの側（図１９において上段）に位置し、Ｂ（青）色の光半導体素子１１と白（Ｗ）色の光半導体素子１３とが、導光部材１０２の光出射面１０２ｂに対し遠くの側（図１９において下段）に位置している。
また、他方の光半導体パッケージＡ−６は、その白（Ｗ）色の光半導体素子１３とＢ（青）色の光半導体素子１２とが、導光部材１０２の光出射面１０２ｂに対し近づく側（図１９において上段）に位置し、そのＲ（赤）色の光半導体素子１０とＧ（緑）色の光半導体素子１２とが、導光部材１０２の光出射面１０２ｂに対し遠くの側（図１９において下段）に位置している。
【００４７】
したがって、一方及び他方の光半導体パッケージＡ−５、Ａ−６における各光半導体素子１０、１１、１２、１３の配置は千鳥配置にしてある。すなわち、図２０に示すように、一方及び他方の光半導体パッケージＡ−５、Ａ−６の中央を通る仮想中央線ｘに対して、Ｇ（緑）色の光半導体素子１２は横方向に中二つおいて上と下とに配置してあり、Ｒ（赤）色の光半導体素子１０は、上と下に配置してあり、Ｂ（青）色の光半導体素子１１は、横方向に中二つおいて下と上に配置してあり、さらに、白（Ｗ）色の光半導体素子１３は下と上に配置してある。
【００４８】
そして、図２１に示すように、一方及び他方の光半導体パッケージＡ−５、Ａ−６におけるＲ（赤）色、Ｂ（青）色、Ｇ（緑）色、白（Ｗ）色の４色の光半導体素子１０、１１、１２、１３をすべて点灯すると、一方及び他方の光半導体パッケージＡ−５、Ａ−６からはＲ，Ｇ，Ｂ、白色の光からなる白色光イ、ロが出射される。これらの出射光であるＲ，Ｇ，Ｂ、白色の光からなる白色光イ、ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して照明光ハになる。
【００４９】
本発明に係る照明装置Ｆ−２においては、一方及び他方の光半導体パッケージＡ−５、Ａ−６の中央を通る仮想中央線ｘに対して、Ｇ（緑）色の光半導体素子１２は横方向に中二つおいて上と下とに配置してあり、Ｒ（赤）色の光半導体素子１０は、上と下に配置してあり、Ｂ（青）色の光半導体素子１１は、横方向に中二つおいて下と上に配置してあり、さらに、白（Ｗ）色の光半導体素子１３は下と上に配置してあるために、導光部材１０２の光出射面１０２ｂ側に赤色の強調された部分が周期的に現れて導光部材１０２の出射光に赤の縞模様が生じるということはなく、視感度による色むらがなくなり、輝度の均一な照明光ハを得ることができる。
【００５０】
次に、上記のように構成された照明装置Ｆ−２を用いた表示装置Ｇ−２を、図２２及び図２３を参照して説明する。
この表示装置Ｇ−２は液晶表示装置であって、表示側あるいは看視者Ｐ側から順に配置した液晶パネル４０１と照明装置Ｆ−２によって構成してある。液晶パネル４０１は、上記した表示装置Ｇ（図９を参照）における液晶パネル２０１と同構成であるために、同一符号を付して説明を省略する。
【００５１】
そして、一方及び他方の光半導体パッケージＡ−５、Ａ−６におけるＲ（赤）色、Ｂ（青）色、Ｇ（緑）色、白（Ｗ）色の光半導体素子１０、１１、１２、１３をすべて点灯すると、一方及び他方の光半導体パッケージＡ−５、Ａ−６からはＲ，Ｇ，Ｂ、白色の光からなる白色光イ、ロが出射される。これらの出射光であるＲ，Ｇ，Ｂ、白色の光からなる白色光イ、ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して液晶パネル４０１の照明光ハになり、この照明光ハは偏光板２０８、液晶層２０５及び偏光板２０７を透過して表示側あるいは看視者Ｐで映像等として視認される。
【００５２】
本発明に係る表示装置Ｇ−２においては、導光部材１０２の光出射面１０２ｂ側に赤色の強調された部分が周期的に現れて導光部材１０２の出射光に赤の縞模様が生じるということはなく、視感度による色むらがなくなり、輝度の均一化が可能になり、映像等に色むらと輝度むらがなくなり、また、Ｇ（緑）色の光半導体素子１２の輝度が、Ｒ（赤）色とＢ（青）色とのそれぞれの光半導体素子１０、１１の発光輝度に比べて弱いにもかかわらず、導光部材１０２の光出射面１０２ｂには白としてのホワイトバランスの崩れがなくなることから、映像等に色むらと輝度むらがなくなる。
【実施例４】
【００５３】
次に、本発明の光半導体パッケージの第４の実施の形態と、この光半導体パッケージを用いた照明装置及びこの照明装置を用いた表示装置を、図２４乃至図２９に基づいて説明する。
光半導体パッケージの第４の実施の形態としては、光半導体素子構成を、図２４に示すように、Ｒ（赤）色の光半導体素子１０とＢ（青）色の光半導体素子１１とＧ（緑）色の光半導体素子１２とを、それぞれに二個組み合わせた構成にしたものであり、輝度の均一化、色むらの解消、視感度による色むら解消を可能にしたものである。
すなわち、一方の光半導体パッケージＡ−７は、図２４に示すように、上段にＧ（緑）色の光半導体素子１２とＢ（青）色の光半導体素子１１とＲ（赤）色の光半導体素子１０とを左から右に配置し、下段にＲ（赤）色の光半導体素子１０とＧ（緑）色の光半導体素子１２とＢ（青）色の光半導体素子１１とを左から右に配置している。他方の光半導体パッケージＡ−８は一方の光半導体パッケージＡ−７と同構成である。
【００５４】
次に、上記のように構成された二個の光半導体パッケージＡ−７、Ａ−８を用いた本発明に係る照明装置Ｆ−３を、図２５乃至図２７を参照して説明する。
この照明装置Ｆ−２の光源１０１は、一方及び他方の光半導体パッケージＡ−５、Ａ−６を横並びに保持部材（（例えば、リジットな回路基板であったりフレキシブル回路基板であったりするが、図示はしていない）に固定することで構成してあって、導光部材１０２の光入射面１０２ａに対向させて配置してある。
【００５５】
そして、一方及び他方の光半導体パッケージＡ−７、Ａ−８において、図２６において上段の配列であるＧ（緑）色の光半導体素子１２とＢ（青）色の光半導体素子１１とＲ（赤）色の光半導体素子１０とが、導光部材１０２の光出射面１０２ｂに対し近くの側（図２６において上段）に位置し、下段にＲ（赤）色の光半導体素子１０とＧ（緑）色の光半
導体素子１２とＢ（青）色の光半導体素子１１とが、導光部材１０２の光出射面１０２ｂに対し遠くの側（図において下段）に位置している。
したがって、一方及び他方の光半導体パッケージＡ−７、Ａ−８における各光半導体素子１０、１１、１２の配置は千鳥配置にしてある。すなわち、図２５に示すように、一方及び他方の光半導体パッケージＡ−７、Ａ−８の中央を通る仮想中央線ｘに対して、Ｇ（緑）色の光半導体素子１２は、横方向に上、下、上、下に配置してあり、Ｒ（赤）色の光半導体素子１０は、横方向に下、上、下、上に配置してあり、Ｂ（青）色の光半導体素子１１は、上、下、上、下に配置してある。
【００５６】
そして、図２７に示すように、一方及び他方の光半導体パッケージＡ−７、Ａ−８におけるＲ（赤）色、Ｂ（青）色、Ｇ（緑）色の三色の光半導体素子１０、１１、１２をすべて点灯すると、一方及び他方の光半導体パッケージＡ−７、Ａ−８からはＲ，Ｇ，Ｂ色の光からなる白色光イ、ロが出射される。これらの出射光であるＲ，Ｇ，Ｂ色の光からなる白色光イ、ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して照明光ハになる。
【００５７】
本発明に係る照明装置Ｆ−３においては、一方及び他方の光半導体パッケージＡ−７、Ａ−８の中央を通る仮想中央線ｘに対して、Ｇ（緑）色の光半導体素子１２は、横方向に上、下、上、下に配置してあり、Ｒ（赤）色の光半導体素子１０は、横方向に下、上、下、上に配置してあり、Ｂ（青）色の光半導体素子１１は、上、下、上、下に配置してあるために、導光部材１０２の光出射面１０２ｂ側に赤色の強調された部分が周期的に現れて導光部材１０２の出射光に赤の縞模様が生じるということはなく、視感度による色むらがなくなり、輝度の均一な照明光ハを得ることができる。
【００５８】
次に、上記のように構成された照明装置Ｆ−３を用いた表示装置を、図２８及び図２９を参照して説明する。
この表示装置Ｇ−３は液晶表示装置であって、表示側あるいは看視者Ｐ側から順に配置した液晶パネル４０１と照明装置Ｆ−３によって構成してある。液晶パネル５０１は、上記した表示装置Ｇ（図９を参照）における液晶パネル２０１と同構成であるために、同一符号を付して説明を省略する。
そして、一方及び他方の光半導体パッケージＡ−７、Ａ−８におけるＲ（赤）色、Ｂ（青）色、Ｇ（緑）色の光半導体素子１０、１１、１２をすべて点灯すると、一方及び他方の光半導体パッケージＡ−７、Ａ−８からはＲ，Ｇ，Ｂ色の光からなる白色光イ、ロが出射される。これらの出射光であるＲ，Ｇ，Ｂ色の光からなる白色光イ、ロは導光部材１０２の光入射面１０２ａからすべて入射し、この導光部材１０２の光出射面１０２ｂと、この光出射面１０２ｂの対向面である光反射面１０２ｃとの間で反射を繰り返し、光出射面１０２ｂから出射して液晶パネル５０１の照明光ハになり、この照明光ハは偏光板２０８、液晶層２０５及び偏光板２０７を透過して映像等として視認される。
【００５９】
本発明に係る表示装置Ｇ−３においては、導光部材１０２の光出射面１０２ｂ側に赤色の強調された部分が周期的に現れて導光部材１０２の出射光に赤の縞模様が生じるということはなく、視感度による色むらがなくなり、輝度の均一化が可能になり、また、Ｇ（緑）色の光半導体素子１２の輝度が、Ｒ（赤）色とＢ（青）色とのそれぞれの光半導体素子１０、１１の発光輝度に比べて弱いにもかかわらず、導光部材１０２の光出射面１０２ｂには白としてのホワイトバランスの崩れがなくなることから、映像等に色むらと輝度むらがなくなる。
【実施例５】
【００６０】
次に、本発明の光半導体パッケージの第５の実施の形態と、この光半導体パッケージを
用いた照明装置及びこの照明装置を用いた表示装置を、図３０乃至図３８に基づいて説明する。
本発明に係る光半導体パッケージは、一つのパッケージ本体１に一個の光半導体素子を収容した構成である。そして、この光半導体パッケージは、光半導体素子に異なる色のものを用いることで、Ｒ（赤）色の光半導体素子１０を有する光半導体パッケージＡ−９と、Ｂ（青）色の光半導体素子１１を有する光半導体パッケージＡ−１０と、Ｇ（緑）色の光半導体素子１２を有する光半導体パッケージＡ−１１とを用意することができる。
光半導体パッケージＡ−９（Ａ−１０、Ａ−１１）は、図３０及び図３１に示すように、パッケージ電極３上に、一個の光半導体素子１０（１１、１２）が、一方の電極（図示せず）をパッケージ電極３に対して接着剤として銀ペーストなどを利用して固着してある。また、光半導体素子１０（１１、１２）の他方の電極（図示せず）は、パッケージ本体１に設けられた他の各電極４に金属ワイヤー７などの電気的接続部材を利用して電気的導通が取られている。
【００６１】
また、パッケージ本体１の光半導体素子１０（１１、１２）を内包した収容凹部２には、透光性のシリコーンまたはエポキシ等の樹脂５でモ−ルドし外部環境から光半導体素子１０（１１、１２）を保護している。また、パッケージ電極３は、パッケージ本体１の外側にて基板６上に設けられた配線パターン６Ａなどの外部電極に半田付などで導通を取りかつ係止される。
そして、図３２に示すように、Ｒ（赤）色の光半導体素子１０を有する光半導体パッケージＡ−９と、Ｂ（青）色の光半導体素子１１を有する光半導体パッケージＡ−１０と、Ｇ（緑）色の光半導体素子１２を有する光半導体パッケージＡ−１１とは、三角形の各頂点ａｂｃに位置するように配置してあり、上段に光半導体パッケージＡ−９を位置させ、下段に光半導体パッケージＡ−１０と光半導体パッケージＡ−１１とを位置させ、これらの光半導体パッケージＡ−９、Ａ−１０、Ａ−１１を互いに接着して、パッケージユニットＵ１が構成してある。
また、図３３に示すように、上段に光半導体パッケージＡ−１０と光半導体パッケージＡ−１１とを位置させ、下段に光半導体パッケージＡ−９を位置させて、これらの光半導体パッケージＡ−９、Ａ−１０、Ａ−１１を互いに接着して、パッケージユニットＵ２が構成してある。
【００６２】
次に、上記のように構成されたパッケージユニットＵ１とパッケージユニットＵ２を用いた本発明に係る照明装置Ｆ−４を、図３４乃至図３６を参照して説明する。
この照明装置Ｆ−４の光源１０１は、パッケージユニットＵ１とパッケージユニットＵ２を横並びに保持部材（図示せず）に固定して構成してあって、導光部材１０１の光入射面１０２ａに対向させて配置してある。
そして、一方のパッケージユニットＵ１は、そのＲ（赤）色の光半導体素子１０を、導光部材１０２の光出射面１０２ｂに対し近くの側（図３４において上段）にし、Ｂ（青）色の光半導体素子１１とＧ（緑）色の光半導体素子１２とを、導光部材４０２の光出射面１０２ｂに対し遠くの側（図３４において下段）にしてある。
【００６３】
また、他方のパッケージユニットＵ２は、そのＲ（赤）色の光半導体素子１０を、導光部材１０２の光出射面１０２ｂに対し遠くの側（図３４において下段）にし、Ｂ（青）色の光半導体素子１１とＧ（緑）色の光半導体素子１２とを、導光部材４０２の光出射面１０２ｂに対し近くの側（図３４において上段）にしてある。
図３４には、これらのパッケージユニットＵ１，Ｕ２を構成する半導体パッケージを回路基板に実装する状態の実施例が図示されている。
図３４の如く、半導体パッケイジを実装（半田付けあるいは異方性導電接着材あるいは導電接着剤による導通接続する）するためのＦＰＣ（フレキシブル回路基板）がＵの字型に折り曲げあるいは湾曲させて、パッケージユニットＵ１、Ｕ２の上下に配設されている
。ここで、ＦＰＣには半導体パッケイジと接続するための電極端子及び配線が設けられており、これら電極端子と半導体パッケイジに備えられている端子とを接続する。
【００６４】
二個のパッケージユニットＵ１、Ｕ２における各光半導体素子１０、１１、１２の配置は千鳥配置にしてある。すなわち、図３５に示すように、二個のパッケージユニットＵ１、Ｕ２の中央を通る仮想中央線ｘに対して、Ｒ（赤）色の光半導体素子１０は、横方向に中二つおいて上と下に配置してあり、Ｇ（緑）色の光半導体素子１２は下と上に配置してあり、同様にＢ（青）色の光半導体素子１１は下と上に配置してある。
そして、図３６に示すように、二個のパッケージユニットＵ１、Ｕ２におけるＲ（赤）色、Ｂ（青）色、Ｇ（緑）色の３色の光半導体素子１０、１１、１２をすべて点灯すると、それぞれのパッケージユニットＵ１、Ｕ２からはＲ，Ｇ，Ｂ色の光からなる白色光イ、ロが出射される。これらの出射光であるＲ，Ｇ，Ｂ色の光からなる白色光イ、ロは導光部材１０２の光入射面１０２ａからすべて入射し、この導光部材１０２の光出射面１０２ｂと光反射面１０２ｃとの間で反射を繰り返し、光出射面１０２ｂから出射して照明光ハになる。
【００６５】
この場合、光源１０１を構成する二個のパッケージユニットＵ１、Ｕ２のそれぞれのＲ（赤）色の光半導体素子１０は、二個のパッケージユニットＵ１、Ｕ２の中央を通る仮想中央線に対して横方向に中二つおいて上と下に配置してあり、Ｇ（緑）色の光半導体素子１２は下と上に配置してあり、同様にＢ（青）色の光半導体素子１１は下と上に配置してあるために、導光部材１０２の光出射面１０２ｂ側に赤色の強調された部分が周期的に現れて導光部材１０２の出射光に赤の縞模様が生じるということはなく、色むらと輝度むらがなくなり、輝度の均一な照明光ハを得ることができる。また、Ｇ（緑）色緑の光半導体素子１２の輝度が、Ｂ（青）色とＲ（赤）色とのそれぞれの光半導体素子１０、１１の輝度に比べて弱いにもかかわらず、導光部材１０２の光出射面１０２ｂには白としてのホワイトバランスの崩れがなくなる。しかも、異なる発光色の光半導体素子１０、１１、１２のうちの一つをパッケージ本体１に設けて構成される三個の光半導体パッケージＡ−９、Ａ−１０、Ａ−１１を用いているために、半田付け端子が広くすることができて半田付けが容易になる。
【００６６】
次に、上記のように構成された照明装置Ｆ−４を用いた表示装置Ｇ−４を、図３７及び図３８を参照して説明する。
この表示装置Ｇ−４は液晶表示装置であって、表示側あるいは看視者Ｐ側から順に配置した液晶パネル６０１と照明装置Ｆ−４によって構成してある。液晶パネル６０１は、上記した液晶パネル２０１と同じ構成であるために、同じ符号を付して説明を省略する。
そして、二個のパッケージユニットＵ１、Ｕ２におけるＲ（赤）色、Ｂ（青）色、Ｇ（緑）色の３色の光半導体素子１０、１１、１２をすべて点灯すると、それぞれのパッケージユニットＵ１、Ｕ２からは白色光イ、ロ、ハが出射される。これらの出射光である白色光イ、ロ、ハは導光部材１０２の光入射面１０２ａからすべて入射し、この導光部材１０２の光出射面１０２ｂと光反射面１０２ｃとの間で反射を繰り返し、光出射面１０２ｂから出射して照明光ハになり、この照明光ハは偏光板２０８、液晶層２０５及び偏光板２０７を透過して表示側あるいは看視者Ｐで映像等として視認される。
【００６７】
本発明に係る表示装置Ｇ−１の場合においては、導光部材１０２の光出射面１０２ｂ側に赤色の強調された部分が周期的に現れて導光部材１０２の出射光に赤の縞模様が生じるということはなく、色むらと輝度むらがなくなり、また、Ｇ（緑）色緑の光半導体素子１２の輝度が、Ｒ（赤）色とＢ（青）色とのそれぞれの光半導体素子１０、１１の発光輝度に比べて弱いにもかかわらず、導光部材１０２の光出射面１０２ｂには白としてのホワイトバランスの崩れがなくなることから、映像等に色むらと輝度むらがなくなる。
【００６８】
このように図３２から図３８において、ピーク光波長特性が異なる光を発光する複数種類の光半導体素子１０，１１，１２をそれぞれ内蔵する複数種類のパッケージＡ−９，Ａ−１０，Ａ−１１を光を導光する板状の導光部材１０２の光入射面１０２ａ側に配設した照明装置において、前記導光部材１０２の入射面１０２ａに対向して配設される複数の前記パッケイジＡ−９，１０，１１は前記導光部材１０２の厚み方向に２段に重ねて配設されたことを特徴とする照明装置である。
また、前記２段に重ねられた上段（図３５において、一点鎖線に対して上側に配設されたパッケイジＡ−９，Ａ−１０，Ａ−１１）に配設されるパッケイジの数と下段（図３５において、一点鎖線に対して下側に配設されたパッケイジＡ−１０，Ａ−１１，Ａ−１０）に配設されるパッケイジの数（図３５では、上段３個で下段３個で同じ数）が同じであることを特徴とする光源装置Ｆ−４である。
前記上段に配設されるパッケイジの種類（Ｒ，Ｇ，Ｂ色の光半導体素子のパッケイジである）は、前記下段（Ｂ、Ｇ、Ｒ色の光半導体素子のパッケイジである）に配設されるパッケイジの種類と同じであることを特徴とする光源装置である。
前記照明装置Ｆ−４内の前記導光部材１０２の光出射面１０２ｂの上方に表示パネル（例えば、液晶パネル６０１）を配設したことを特徴とする表示装置Ｇ−４である。
【００６９】
ところで、図３２，３３の如くなる単個のパッケイジが２段重ねて配設されると、これらのパッケイジの電極端子をどのように回路基板に接続するかが検討課題になる。
この課題に対しては、図３４に示した如く、フレキシブル回路基板（ＦＰＣ）上に間隔を空けて２列パッケイジを接続し配置しておき、この光源が実装されたＦＰＣを表示装置あるいは照明装置に組み込むときに、図３４の如く湾曲させて組み込めば、上段、下段それぞれに接続する２枚の基板を用いる場合に比べて、製造コストのコストダウンが得られる。
【実施例６】
【００７０】
次に、本発明の光半導体パッケージの第６の実施の形態と、この光半導体パッケージを用いた照明装置Ｆ−５及びこの照明装置Ｆ−５を用いた表示装置Ｇ−５を、図３９乃至図４３に基づいて説明する。
本発明に係る光半導体パッケージは、一つのパッケージ本体１に一個の光半導体素子を収容した構成であり、この光半導体パッケージは、光半導体素子に異なる色のものを用いることで、Ｒ（赤）色の光半導体素子１０を有する光半導体パッケージＡ−９と、Ｂ（青）色の光半導体素子１１を有する光半導体パッケージＡ−１０と、Ｇ（緑）色の光半導体素子１２を有する光半導体パッケージＡ−１１とを用意することができる。
そして、図３９に示すように、これらの光半導体パッケージＡ−９と光半導体パッケージＡ−１０と光半導体パッケージＡ−１１とを横一列に並べて、互いに隣り合うものを接着材５００で接着してパッケージユニットＵ３が構成してある。
【００７１】
次に、上記のように構成されたパッケージユニットＵ３を二個用いた本発明に係る照明装置Ｆ−５を、図４０及び図４１を参照して説明する。
本発明に係る照明装置Ｆ−５の光源１０１は、上記したパッケージユニットＵ３を二個横一列に並べて構成してあって、導光部材１０２の光入射面１０２ａに対向させて配置してある。
そして、図４１に示すように、二個のパッケージユニットＵ３におけるＲ（赤）色、Ｂ（青）色、Ｇ（緑）色の３色の光半導体素子１０、１１、１２をすべて点灯すると、それぞれのパッケージユニットＵ３からはＲ，Ｇ，Ｂ色の光からなる白色光イ、ロが出射される。これらの出射光であるＲ，Ｇ，Ｂ色の光からなる白色光イ、ロは導光部材１０２の入射面１０２ａからすべて入射し、この導光部材１０２の光出射面１０２ｂと光反射面１０２ｃとの間で反射を繰り返し、光出射面１０２ｂから出射して照明光ハになる。
【００７２】
この場合、光源１０１は、二個のパッケージユニットＵ３を横一列に並べて構成してあるために、導光部材１０２の光出射面１０２ｂ側に赤色の強調された部分が周期的に現れて導光部材１０２の出射光に赤の縞模様が生じるということはなく、色むらと輝度むらがなくなり、輝度の均一な照明光ハを得ることができる。また、Ｇ（緑）色緑の光半導体素子１２の輝度が、Ｒ（赤）色とＢ（青）色とのそれぞれの光半導体素子１０、１１の輝度に比べて弱いにもかかわらず、導光部材１０２の光出射面１０２ｂには白としてのホワイトバランスの崩れがなくなる。
【００７３】
次に、上記のように構成された照明装置Ｆ−５を用いた表示装置を、図４２及び図４３を参照して説明する。
この表示装置Ｇ−５は液晶表示装置であって、表示側あるいは看視者Ｐ側から順に配置した液晶パネル７０１と照明装置Ｆ−５によって構成してある。液晶パネル７０１は、上記した液晶パネル２０１と同じ構成であるために、同じ符号を付して説明を省略する。
そして、照明装置Ｆ−５を構成する二個のパッケージユニットＵ３におけるＲ（赤）色、Ｂ（青）色、Ｇ（緑）色３色の光半導体素子１０、１１、１２をすべて点灯すると、それぞれのパッケージユニットＵ３からはＲ，Ｇ，Ｂ色の光からなる白色光イ、ロが出射される。これらの出射光であるＲ，Ｇ，Ｂ色の光からなる白色光イ、ロは導光部材１０２の入射面１０２ａからすべて入射し、この導光部材１０２の光出射面１０２ｂと光反射面１０２ｃとの間で反射を繰り返し、光出射面１０２ｂから出射して照明光ハになり、この照明光ハは偏光板２０８、液晶層２０５及び偏光板２０７を透過して表示側あるいは看視者Ｐで映像等として視認される。
【００７４】
この場合、光源１０１は、二個のパッケージユニットＵ３を横一列に並べて構成してあるために、導光部材１０２の光出射面１０２ｂ側に赤色の強調された部分が周期的に現れて導光部材１０２の出射光に赤の縞模様が生じるということはなく、色むらと輝度むらがなくなり、また、Ｇ（緑）色緑の光半導体素子１２の輝度が、Ｂ（青）色とＲ（赤）色とのそれぞれの光半導体素子１０、１１の輝度に比べて弱いにもかかわらず、導光部材１０２の光出射面１０２ｂには白としてのホワイトバランスの崩れがなくなることから、映像等に色むらと輝度むらがなくなる。
【産業上の利用可能性】
【００７５】
本発明に係る表示装置によれば、導光部材の出射面側に輝度の高い色の強調された部分が周期的に現れて導光部材の出射光にＲ（赤）色の縞模様が生じるということはなく、色むらのない均一な出射光を得て、色むらのない均一な画像等を得ることができるという効果を有し、光液晶表示装置等の表示装置に有用である。
【図面の簡単な説明】
【００７６】
【図１】本発明に係る光半導体パッケージの第１の実施の形態の平面図である。
【図２】本発明に係る光半導体パッケージの縦断面図である。
【図３】本発明に係る光半導体パッケージにおける光半導体素子の配置説明図である。
【図４】本発明に係る光半導体パッケージにおける光半導体素子の他の配置説明図である。
【図５】本発明に係る照明装置の概略的な斜視図である。
【図６】本発明に係る照明装置の光半導体パッケージにおける光半導体素子の配置説明図である。
【図７】本発明に係る照明装置の一部省略した縦断面図である。
【図８】本発明に係る表示装置の概略的な斜視図である。
【図９】本発明に係る表示装置の概略的な縦断面図である。
【図１０】本発明に係る光半導体パッケージの第２の実施の形態おける光半導体素子の配置説明図である。
【図１１】本発明に係る光半導体パッケージにおける光半導体素子の他の配置説明図である。
【図１２】本発明に係る照明装置の概略的な斜視図である。
【図１３】本発明に係る照明装置の光半導体パッケージにおける光半導体素子の配置説明図である。
【図１４】本発明に係る照明装置の一部省略した縦断面図である。
【図１５】本発明に係る表示装置の概略的な斜視図である。
【図１６】本発明に係る表示装置の概略的な縦断面図である。
【図１７】本発明に係る光半導体パッケージの第３の実施の形態おける光半導体素子の配置説明図である。
【図１８】本発明に係る光半導体パッケージにおける光半導体素子の他の配置説明図である。
【図１９】本発明に係る照明装置の概略的な斜視図である。
【図２０】本発明に係る照明装置の光半導体パッケージにおける光半導体素子の配置説明図である。
【図２１】本発明に係る照明装置の一部省略した縦断面図である。
【図２２】本発明に係る表示装置の概略的な斜視図である。
【図２３】本発明に係る表示装置の概略的な縦断面図である。
【図２４】本発明に係る光半導体パッケージの第４の実施の形態おける光半導体素子の配置説明図である。
【図２５】本発明に係る照明装置の光半導体パッケージにおける光半導体素子の配置説明図である。
【図２６】本発明に係る照明装置の概略的な斜視図である。
【図２７】本発明に係る照明装置の一部省略した縦断面図である。
【図２８】本発明に係る表示装置の概略的な斜視図である。
【図２９】本発明に係る表示装置の概略的な縦断面図である。
【図３０】本発明に係る光半導体パッケージの第５の実施の形態の平面図である。
【図３１】本発明に係る光半導体パッケージの縦断面図である。
【図３２】本発明に係る光半導体パッケージにおける光半導体素子の配置説明図である。
【図３３】本発明に係る光半導体パッケージの他の配置説明図である。
【図３４】本発明に係る照明装置の概略的な斜視図である。
【図３５】本発明に係る照明装置の光半導体パッケージにおける光半導体素子の配置説明図である。
【図３６】本発明に係る照明装置の一部省略した縦断面図である。
【図３７】本発明に係る表示装置の概略的な斜視図である。
【図３８】本発明に係る表示装置の概略的な縦断面図である。
【図３９】本発明に係る光半導体パッケージの第６の実施の形態の平面図である。
【図４０】本発明に係る照明装置の概略的な斜視図である。
【図４１】本発明に係る照明装置の一部省略した縦断面図である。
【図４２】本発明に係る表示装置の概略的な斜視図である。
【図４３】本発明に係る表示装置の概略的な縦断面図である。
【符号の説明】
【００７７】
１    パッケージ本体
１０  Ｒ（赤）色の光半導体素子
１１  Ｂ（青）色の光半導体素子
１２  Ｇ（緑）色の光半導体素子
１０１  光源
１０２  導光部材
１０２ａ  光入射面
１０２ｂ  光出射面
１０２ｃ  反射面
２０１〜７０１  液晶パネル
Ａ      光半導体パッケージ
Ａ−１〜Ａ−１１  光半導体パッケージ
Ｆ      照明装置
Ｆ−１〜Ｆ−５  照明装置
Ｇ      表示装置
Ｇ−１〜Ｇ−５  表示装置
【図１】
2006156130.tif 000003
【図２】
2006156130.tif 000004
【図３】
2006156130.tif 000005
【図４】
2006156130.tif 000006
【図５】
2006156130.tif 000007
【図６】
2006156130.tif 000008
【図７】
2006156130.tif 000009
【図８】
2006156130.tif 000010
【図９】
2006156130.tif 000011
【図１０】
2006156130.tif 000012
【図１１】
2006156130.tif 000013
【図１２】
2006156130.tif 000014
【図１３】
2006156130.tif 000015
【図１４】
2006156130.tif 000016
【図１５】
2006156130.tif 000017
【図１６】
2006156130.tif 000018
【図１７】
2006156130.tif 000019
【図１８】
2006156130.tif 000020
【図１９】
2006156130.tif 000021
【図２０】
2006156130.tif 000022
【図２１】
2006156130.tif 000023
【図２２】
2006156130.tif 000024
【図２３】
2006156130.tif 000025
【図２４】
2006156130.tif 000026
【図２５】
2006156130.tif 000027
【図２６】
2006156130.tif 000028
【図２７】
2006156130.tif 000029
【図２８】
2006156130.tif 000030
【図２９】
2006156130.tif 000031
【図３０】
2006156130.tif 000032
【図３１】
2006156130.tif 000033
【図３２】
2006156130.tif 000034
【図３３】
2006156130.tif 000035
【図３４】
2006156130.tif 000036
【図３５】
2006156130.tif 000037
【図３６】
2006156130.tif 000038
【図３７】
2006156130.tif 000039
【図３８】
2006156130.tif 000040
【図３９】
2006156130.tif 000041
【図４０】
2006156130.tif 000042
【図４１】
2006156130.tif 000043
【図４２】
2006156130.tif 000044
【図４３】
2006156130.tif 000045